(57)【要約】【課題】ステンレス、シリコンまたはガラス製の調理器具や容器には、吊下げのためのフックを引っ掛けるための穴がない場合がある。それらのうち、開口部にフランジを有するものに対し、吊下げの手段を提供する。これにより、速やかな水切り、乾燥を行えるようにし、作業台においては、平置きによって占めていた作業面積を解放する。【解決手段】開口部３００ａにフランジ３００ｂを備える調理器具３００を、調理器具３００の開口部３００ａが側面に向くように垂直に吊下げる吊下器具において、既設の設備に取り付けるためのフック１００と、調理器具３００のフランジ３００ｂの外側面３００ｃを支持することにより、調理器具３００の外側面３００ｃ方向への動きを制限するフランジ支持部１と、フランジ支持部１の基部から調理器具３００の内側に回り込んで、調理器具３００の内側面３００ｄを上方へ支持する内側面支持部２を備える吊下げ器具。【選択図】図７
2014039575.tif 000002
【特許請求の範囲】
【請求項１】
開口部３００ａにフランジ３００ｂを備える調理器具３００の吊下器具において、逆Ｕ字型に形成されたフック１００と、本発明を側面から見た場合に、逆Ｕ字型のフック１００の一端を下方に延長した端部に形成されたフランジ支持部１と、フランジ支持部１の基部から上方に折れ曲がった後、弧をなしながら下方へ曲がり、弧をなしながら水平となりフランジ支持部１の下方を通過した後、弧をなしながらフランジ支持部１より低い位置まで上方に延長した端部、すなわち、フランジ支持部１の基部を基点に「Ｃ」字状に伸展した端部に形成されたフランジ支持部２を備え、本発明を正面から見た場合に、フランジ支持部１は、左右一対の下向きの凸部として形成されており、内側面支持部２は、左右一対の斜め上向きの凸部として形成されており、左右１対のフランジ支持部１の間隔ｗ１に対して、左右１対の内側面支持部２の間隔ｗ２が２倍以上であり、逆Ｕ字型に形成されたのフック１００が、既設の設備に繋留され、本発明を正面から見た場合に、左右１対のフランジ支持部が、フランジ３００ｂの基部を調理器具３００の外側面３００ｃで支持し、左右１対の内側面支持部２が、フランジ支持部１よりも調理器具３００の深い位置で調理器具３００の内側面３００ｄを支持し、調理器具３００の内外計４点で調理器具３００ を保持することで、調理器具３００を開口部３００ａのなす面を垂直に保持し吊下げることを特徴とするフランジ付き調理器具用の吊下げ器具。
【発明の詳細な説明】
【技術分野】
【０００１】
本発明は、台所等のフランジ付き調理器具の吊り下げ器具に関する。
【背景技術】
【０００２】
台所調理において、洗浄後の調理器具を水切り、乾燥および整頓するとき、Ｊ字またはＳ字型のフックに吊下げる場合がある。手持部分のある調理器具の場合は、多くの場合そこにフックを引っ掛けて吊るすことができる。手持部分のない調理器具でもフックのための穴があらかじめ開いている場合がある。また、調理場所に伏せて、水切り、乾燥させる場合、乾燥後はそのまま調理場所か、棚に単独もしくは重ねて平置きしていた。
【０００３】
また、特許文献１においては、図１７に示す通り、金属線を屈曲して、笊（ざる）の外側に掛かる鉤止部２，２´と、笊の内側から支持する支持足１，１´，３を形成している。特許文献１によると、使用に際しては、鉤止部１に笊の外側を引っ掛けて放すことにより、笊の内部は上方支持足１，１´および下方支持足３によって支持され、笊の外側は鉤止部２，２´によって引っ掛けられ、笊が鉤および支持足の土台となる取付杆に対して斜めに保持される。これらにより、笊の取り外しが軽便なものとなるとともに、笊の動揺を防止し、みだりに外脱する害を除去し、笊の破損を防止するとある。
【０００４】
また、特許文献２においては、図１８に示す通り、金属線を屈曲して、笊（ざる）の外側に掛かる鉤止部１３，５，６と、笊の内側から支持する支持足３，４，１２および下方支持足７，８を形成している。特許文献２によると、使用に際しては、鉤止部５，６に笊の外側を引っ掛けて放すことにより、笊の内部は支持足３，４並びに下方支持足７，８によって支持され、笊が取付杆１１に対して斜めに保持される。そして、これらにより、笊の取り外しが軽便なものとなるとともに、笊の動揺を防止し、みだりに外脱する害を除去し、笊の破損を防止するとある。また小さい笊等は鉤止部１３、支持足１２、ならびに下方に鉤止された笊によって支持されるとある。
【先行技術文献】
【特許文献】
【０００５】
【特許文献１】実公昭０７−００３７５８号公報
【特許文献２】実公昭０７−０１８１３９号公報
【発明の概要】
【発明が解決しようとする課題】
【０００６】
ステンレスまたはガラス製の調理用ボウル、およびシリコン製のスチームケース等の調理器具には、フックを引っ掛けるための穴がない場合がある。その際には調理器具の縁の水平部分に穴を加工することもできるが、ガラス製のボウルへの穴あけは困難であり、またシリコン製のスチームケースの縁の水平部分に穴を開けた場合、縁の強度が低下し破損の原因となる。
【０００７】
また、吊下げずに伏せて水切り、乾燥を行う場合、調理器具が乾燥しにくい。また接地している部分の乾燥は他の部分に比べて極端に遅くなる。加えて特に狭小な台所においては、それら伏せた調理器具が、調理台における作業面積を圧迫する。
【０００８】
加えて、それら調理器具を吊下げずに整頓する場合、乾燥後、調理場所か棚に、他の物を上に重ねて平置きした場合、取り出す時は、上に乗っている物を取り除ける必要がある。
【０００９】
特許文献１および特許文献２においては、吊下対象となる笊（ざる）１４を、斜めに保持しているため、垂直に保持するよりも大きな収納場所を取っていた。
【００１０】
また、特許文献１および特許文献２においては、笊１４を斜めに保持する際、鉤止部、上部支持足および下部支持足の３つか、鉤止部、支持足、下方に鉤止した笊１４の３つによって支持する必要がある。
【００１１】
特許文献２の図面である図１８に見られるように、笊１４の外側を鉤止する鉤止部１３の幅と、笊の内側を保持する支持足１２の幅が、ほぼ同じ幅で形成されている。笊１４の内側を支持する２つの支持足１２の間隔を、笊１４の垂直軸方向の回転を押さえることができるほど、充分に広く取った場合、鉤止部１３も笊１４の外側の縁を同様の幅で支持する。笊１４を垂直から、６０°程度の角度まで引き起こした状態を考えた場合、図１９に見られるように、上から見ると笊１４の縁は弧ロとなって現れる。
【００１２】
この状態で笊１４の開口部の面と垂直で鉤止部１３の片方が笊１４を支持する点を通る軸Ｖ方向の回転が笊１４に加わると、上から見た場合の笊１４の縁は弧ハとなり、鉤止部１３の位置が笊１４の開口部の面と平行かつ器具の開口部の中心を通る軸Ｘから離れて形成されるほど、片方の鉤止部１３の笊の縁への掛かりが浅くなっていき、掛かりが無くなるに至る場合がある。したがって、笊１４の内側を支持する２つの支持足１２の幅と同様の幅で笊１４の外側を鉤止する鉤止部１３が形成された場合、鉤止部１３の片方が鉤止部から外れたときに、笊１４が脱落する恐れがある。笊１４の開口部の面と垂直で鉤止部１３の片方が笊１４を支持する点を通る軸Ｖ方向の回転が笊１４に加わった場合でも、片方の鉤止部１３の笊の縁への掛かりが充分に保てるほどの幅で２つの鉤止部１３の間隔を設定した場合、笊１４の内面を支持する支持足１２が同様の幅となる。この支持足１２の幅では、笊１４の軸Ｘ、軸Ｖ方向の回転を抑えて、笊１４の脱落を防ぐには不十分である。加えて笊１４を斜めに保持する場合、笊１４の重心の水平位置が、吊下の支点となる笊１４の内部を上向きに支える支持足１２の支持点の水平位置から離れていることにより、笊１４の重心の水平位置が吊下の支点となる支持足１２の支持点の水平位置と同じ位置になろうとする力が働く。この力が働くことにより、笊１４の鉤止部１３の片方が笊１４の縁から外れたときに笊１４のバランスが崩れやすくなるため、笊が脱落する恐れが増す。特許文献１および、特許文献２の他の鉤止部と支持足の関係においても同様の恐れがある。
【課題を解決するための手段】
【００１３】
開口部３００ａにフランジ３００ｂを備える調理器具３００を吊下げる吊下器具において、逆Ｕ字型に形成されたフック１００と、側面から見た場合に、逆Ｕ字型のフック１００の一端を下方に延長した端部に形成されたフランジ支持部１と、フランジ支持部１の基部から上方に折れ曲がった後、弧をなしながら下方へ曲がり、弧をなしながら水平となりフランジ支持部１の下方を通過した後、弧をなしながらフランジ支持部１より低い位置まで上方に延長した端部、すなわち、フランジ支持部１の基部を基点に「Ｃ」字状に伸展した端部に形成されたフランジ支持部２を備え、正面から見た場合に、フランジ支持部１は、左右一対の下向きの凸部として形成されており、内側面支持部２は、左右一対の斜め上向きの凸部として形成されており、左右１対のフランジ支持部１の間隔ｗ１に対して、左右１対の内側面支持部２の間隔ｗ２が２倍以上であり、逆Ｕ字型に形成されたのフック１００が、既設の設備に繋留され、正面から見た場合に、左右１対のフランジ支持部が、フランジ３００ｂの基部を調理器具３００の外側面３００ｃで支持し、左右１対の内側面支持部２が、フランジ支持部１よりも調理器具３００の深い位置で調理器具３００の内側面３００ｄを支持し、調理器具３００の内外計４点で調理器具３００ を保持することで、調理器具３００を開口部３００ａのなす面を垂直に保持し吊下げることを特徴とするフランジ付き調理器具用の吊下げ器具。
【発明の効果】
【００１４】
図１、図２に見られるように、逆Ｕ字型のフック１００を備えることにより、既設の設備に対する本発明の取り付けに際しては、フック１００を図５の通りに壁面、吊戸棚等に設けた横棒２００に繋留することにより、フック１００とフラン支持支持部１の特許文献１および特許文献２にみられるような壁面へのネジ、釘による取り付けを必要としない。
【００１５】
図２に見られるように、本発明を側面から見た場合に、逆Ｕ字型のフック１００の一端を下方に延長した端部に形成されたフランジ支持部１を備えることにより、図１０のように、フランジ３００ｂの基部を調理器具３００の外側面３００ｃで支持し、調理器具３００の外側面３００ｃ方向への動きを制限する。
【００１６】
図２に見られるように、本発明を側面から見た場合に、フランジ支持部１の基部から上方に折れ曲がった後、弧をなしながら下方へ曲がり、弧をなしながら水平となりフランジ支持部１の下方を通過した後、弧をなしながらフランジ支持部１より低い位置まで上方に延長した端部、すなわち、フランジ支持部１の基部を基点に「Ｃ」字状に伸展した端部に形成されたフランジ支持部２を備えることにより、図１０のように、左右１対の内側面支持部２が、フランジ支持部１よりも調理器具３００の深い位置で調理器具３００の内側面３００ｄを支持する。
【００１７】
図３に見られるように、本発明を正面から見た場合に、フランジ支持部１は、左右一対の下向きの凸部として形成されており、内側面支持部２は、左右一対の斜め上向きの凸部として形成されているため、図１２に見られるように調理器具３００は、左右１対のフランジ支持部１と左右一対の内側面支持部２の計４点で支持され、、調理器具３００に吊下げのための穴および環状の部分を必要しない。また調理器具３００のほとんどの表面が露出するため、作業台や、棚に平置きするより速やかに乾燥できる。
【００１８】
図４、図１２に見られるように、左右１対のフランジ支持部１の間隔ｗ１に対して、左右１対の内側面支持部２の間隔ｗ２が２倍以上であることにより、調理器具３００の開口部３００ａの面と平行かつ開口部３００ａの面の中心を通る軸Ｘに対するフランジ支持部１の水平距離に対して、内側面支持部２の水平距離は２倍以上となり、それだけ軸Ｘから離れた位置で内側面３００ｄを支持することになる。これにより、図９、図１１に見られるように、調理器具３００の開口部３００ａの面と平行かつ開口部３００ａの面の中心を通る軸Ｘ方向の回転を制限するとともに、図９、図１３に見られるように、調理器具３００の開口部３００ａの面に対する垂線に平行かつフランジ３００ｂを通る軸Ｙ方向の回転を制限する結果、内側面支持部２が内側面３００ｄから外れることがない。図６に見られるように、開口部３００ｂが水平位置ロに来るまでの動揺が加わらない限り、調理器具３００の落下は防止される。
【００１９】
図４、図１２に見られるように、左右１対のフランジ支持部１の間隔ｗ１に対して、左右１対の内側面支持部２の間隔ｗ２が２倍以上である。すなわち器具の内側を支持する２つの内側面支持部２の間隔ｗ２を、器具の垂直軸方向の回転を押さえることができるほど充分に広く取った場合、フランジ支持部１は器具の外側の縁を内側面支持部２の幅の半分以下の間隔ｗ１で支持することになる。
【００２０】
調理器具を垂直から、６０°程度の角度まで引き起こした状態を考えた場合、図２０に見られるように、上から見ると調理器具３００の縁は弧ハとなって現れる。
【００２１】
この状態で器具の開口部の面と垂直、かつ片方のフランジ支持部１が調理器具３００を支持する点を通る軸Ｖ方向の回転が器具に加わると、図２０に見られるように、上から見た場合の調理器具３００の縁は弧ホとなる。
【００２２】
図２０に見られるように、調理器具３００の開口部３００ａの面と垂直、かつ片方のフランジ支持部１が調理器具３００を支持する点を通る軸Ｖ方向の回転によって、片方のフランジ支持部１が支持を行う位置におけるフランジ３００ｂに対する掛かりが浅くなっていっても、２つのフランジ支持部の幅が、２つの内側面支持部２の幅の半分以下の幅で形成されている為、調理器具３００の開口部３００ａの面と垂直、かつ片方のフランジ支持部１が調理器具３００を支持する点を通る軸方向の回転があっても、片方のフランジ支持部１が支持を行う位置におけるフランジ３００ｂに対する掛かりは充分に深いままで、片方のフランジ支持部が外れることはない。
【００２３】
図９に見られるように調理器具３００の開口部３００ａの面が垂直になるように保持する場合、調理器具の重心Ｇの水平位置が、調理器具３００の支点となる調理器具３００の内部を上向きに支える内側面支持部２の、ほぼ真下となるため、内側面支持部２に働く力のほとんどが垂直下向きの力である。そのため、調理器具３００を安定して吊下げることができるとともに、斜めに保持する場合と比べて、内側面支持部２に掛かるモーメントが減少するため、内側面支持部２の変形、破損を低減することができる。
【００２４】
また、特許文献１および特許文献２における斜めの保持に対して、調理器具３００が垂直に保持されるので場合、図１３に見られるように収納に必要となる底面積が最小となる
【００２５】
特許文献１および特許文献２における、笊の鉤止部、上部支持足および下部支持足の３つ、または鉤止部、支持足および下部に鉤止した笊の３つによる支持による吊下げに対して、フランジ支持部１と、内側面支持部２の２つの支持による吊下げが可能となり、より少ない要素で吊下げを行うことができる。
【００２６】
最小限の底面積による吊下げ対象容器３００の吊下げによる水切り、乾燥が可能となることで、特に狭小な台所においては、調理台における作業面積を圧迫されることがなく、収納する場合にも、そのまま吊下げておけるため、乾燥後、調理場所か棚に平置きする必要がなく、平置きした場合にありがちな、上に別の物を重ねて置いてある場合の取り出しで、上に乗っている物を取り除ける必要もない。
【図面の簡単な説明】
【００２７】
【図１】本発明の実施例における斜視図である。
【図２】本発明の実施例における側面図である。
【図３】本発明の実施例における正面図である。
【図４】本発明の実施例における上面図である。
【図５】本発明の実施例における横棒２００への取付図である。
【図６】本発明の実施例における動作図である。
【図７】本発明の実施例における吊下げ状態の上からの斜視図である。
【図８】本発明の実施例における吊下げ状態の下からの斜視図である。
【図９】本発明の実施例における吊下げ状態の側面図である。
【図１０】本発明の実施例における切断線Ａ−Ａの断面図である。
【図１１】本発明の実施例における吊下げ状態の背面図である。
【図１２】図９のフランジ支持部１および内側面支持部２付近の拡大図である。
【図１３】本発明の実施例における吊下げ状態の上面図である。
【図１４】本発明を横棒２００に複数取り付けた場合の背面図である。
【図１５】本発明の別の実施例における斜視図である。
【図１６】本発明の別の実施例における斜視図である。
【図１７】参考文献１からの引用図面に、笊１４を掛けた場合の笊１４の想像線を破線で描き加えたものである。
【図１８】参考文献２からの引用図面に、笊１４を掛けた場合の笊１４の想像線を破線で描き加えたものである。
【図１９】参考文献１および参考文献２による鉤止部の上面図である。
【図２０】本発明の実施例における鉤止部の上面図である。
【発明を実施するための形態】
【００２８】
本発明は、図７、図８のように開口部３００ａにフランジ３００ｂを備える調理器具３００を吊下げる吊下器具において、図１、図２のように逆Ｕ字型に形成されたフック１００と、図２のように本発明を側面から見た場合に、逆Ｕ字型のフック１００の一端を下方に延長した端部に形成されたフランジ支持部１と、フランジ支持部１の基部から上方に折れ曲がった後、弧をなしながら下方へ曲がり、弧をなしながら水平となりフランジ支持部１の下方を通過した後、弧をなしながらフランジ支持部１より低い位置まで上方に延長した端部、すなわち、フランジ支持部１の基部を基点に「Ｃ」字状に伸展した端部に形成されたフランジ支持部２を備え、図３のように本発明を正面から見た場合に、フランジ支持部１は、左右一対の下向きの凸部として形成されており、内側面支持部２は、左右一対の斜め上向きの凸部として形成されており、図４、図１２に見られるように、左右１対のフランジ支持部１の間隔ｗ１に対して、左右１対の内側面支持部２の間隔ｗ２が２倍以上であり、図１、図２のように逆Ｕ字型に形成されたのフック１００が、図５のように既設の設備に繋留され、図９、図１０、図１１、図１２のように左右１対のフランジ支持部が、フランジ３００ｂの基部を調理器具３００の外側面３００ｃで支持し、左右１対の内側面支持部２が、フランジ支持部１よりも調理器具３００の深い位置で調理器具３００の内側面３００ｄを支持し、調理器具３００の内外計４点で調理器具３００ を保持することで、調理器具３００を開口部３００ａのなす面を垂直に保持し吊下げることを特徴とするフランジ付き調理器具用の吊下げ器具である。
【００２９】
本発明の使用法を記す。
【００３０】
本発明を既設の設備に取り付けるには、フック１００を図５の通りに壁面、吊戸棚等に設けた横棒２００に係留する。
【００３１】
調理器具３００の吊下げのためには、図６の通りに、水平位置ロで調理器具３００の開口部３００ａの面を下方に向け水平にして、フランジ３００ｂをフランジ支持部１と内側面支持部２の間に差入れる。
【００３２】
その後、図６の通りに調理器具をフランジ３００ｂの基部を中心に、下向き矢印方向に、開口部３００ａが垂直位置イに来るまで回転させる。
【００３３】
これにより、図７、図８に見られるように調理器具３００を本発明を介して横棒２００に吊下げることができる。
【００３４】
調理器具３００の取り外しに際しては、図６に見られるように、調理器具３００をフランジ３００ｂの基部を中心に、上向き矢印方向に、開口部３００ａを垂直位置イから水平位置ロまで回転させ、調理器具３００の開口部３００ａの面を下方に向け水平にして、フランジ３００ｂをフランジ支持部１と内側面支持部２の間から抜き出す。
【００３５】
本発明による吊下器具を作成する際には、強度および水切れの点から直径３ｍｍ程度のビニール被覆針金もしくは、ステンレス針金をもって作成することが最良と思われる。また図１５に見られるように、ビニル被覆の鋼製の帯材もしくはステンレスの帯材で作成することも可能である。また充分な強度が得られれば、針金や金属の帯材の替わりに樹脂で作成することも可能である。
【００３６】
本発明のフランジ付き調理器具用の吊下げ器具を直径３ｍｍ程度のビニール被覆針金もしくは、ステンレス針金をもって作成する場合の構造と機能を示す。
【００３７】
図１、図２に見られるように、針金の一端を横棒２００に掛かるだけの直径で逆Ｕ字型に曲げ、フック１００とする。吊下げに際しては、フック１００を図５の通りに壁面、吊戸棚等に設けた横棒２００に繋留する。そのため、特許文献１および特許文献２にみられるような壁面へのネジ、釘による取り付けを必要としない。また図１の実施例中に見られるフック１００に対して、図１６に見られる別の実施例中のフック１００のように、垂直軸について９０°変位してフック１００を形成することもできる。この場合、調理器具３００の開口部３００ａの面が、横棒２００の伸展方向と直交するように調理器具３００が吊下げられる。
【００３８】
図２に見られるように、逆Ｕ字型に曲げられて形成されたフック１００の一端を延長する。この延長は調理器具３００が吊下げられる位置と横棒２００との間隔である。図１４に見られるように、調理器具３００の位置が、並んで収納されている他の器具の垂直位置に対して上か下かになるように調理器具３００と横棒２００との間隔をなす延長を設定すると、他の器具と調理器具３００が干渉せず、より多くの器具が収納できる。
【００３９】
調理器具３００が吊下げられる位置と横棒２００との間隔は、調理器具３００と調理台との間隔によっても決定される。この場合、吊下げた場合の取り出しやすさ、また作業の邪魔にならないかによって任意に決定される。
【００４０】
逆Ｕ字型に曲げられて形成されたフック１００の一端を延長した端で、図１、図２に見られるように、針金は上方に折り曲げられ下向きの凸部となり、フランジ支持部１を形成する。フランジ支持部１は、図９、図１０に見られるように調理器具３００のフランジ３００ｂを、調理器具３００の外側面３００ｃで支持することにより、調理器具３００の外側面３００ｃ方向への動きを制限する。
【００４１】
折り曲げられた針金は、図８に見られるように、フランジ３００ｂの上方を弧を描いて吊下げ対象容器３００の内側面３００ｄへ回り込む。
【００４２】
調理器具の内側面３００ｄへ回り込む際には、図３、図４に見られるように、対称面αから徐々に離しながら形成する。結果、図４、図１０に見られるように、二つのフランジ支持部１の間隔ｗ１より、二つの内側面支持部２の間隔ｗ２が２倍以上の幅を持っている。
【００４３】
調理器具３００の内側へ回り込んだ後、図４に見られるように、吊下げ対象容器と接する位置で上から見てＳ字に曲がり、Ｓ字のはじめの曲がりで斜め上向きの凸部となり内側面支持部２を形成する。続いて上から見て図４に見られるように、Ｕ字に曲がり再び内側面支持部２を形成する。図１０に見られるように、内側面支持部２は、フランジ支持部１よりも調理器具３００の深い位置で調理器具３００の内側面３００ｄを支持する。
【００４４】
続いて前記の構造と対称面αで面対称な構造が形成され、本発明は成る。
【００４５】
図３に見られるように、本発明を正面から見た場合に、フランジ支持部１は、左右一対の下向きの凸部として形成されており、内側面支持部２は、左右一対の斜め上向きの凸部として形成されているため、図９、図１０、図１１、図１２に見られるように、調理器具３００が、左右１対のフランジ支持部１と左右一対の内側面支持部２の計４点で支持され、、調理器具３００に吊下げのための穴および環状の部分を必要しない。これにより、以前はそのままでは吊下げることが出来なかった、吊下げ穴の開いていないガラスおよびステンレスのボウル、シリコン製のスチームケース等が、穴あけ加工の必要なしに、垂直な吊下げにより乾燥、整頓できるようになった。また調理器具３００のほとんどの表面が露出するため、作業台や、棚に平置きするより速やかに乾燥できる。
【００４６】
また、特に狭小な台所においては、吊下げによる水切り、乾燥により、調理台における作業面積を圧迫されることがなく、収納する場合にも、そのまま吊下げておけるため、乾燥後、調理場所か棚に平置きする必要がなく、平置きした場合にありがちな、上に別の物を重ねて置いてある場合の取り出しで、上に乗っている物を取り除ける必要もない。
【００４７】
調理器具３００が、本発明による吊下げ器具に保持されている状態で、外部から動揺が加わっても、図４、図１０に見られるように、左右１対のフランジ支持部１の間隔ｗ１に対して、左右１対の内側面支持部２の間隔ｗ２が２倍以上であることにより、図９、図１１に見られるように、調理器具３００の開口部３００ａと平行かつ開口部３００ａの中心を通る軸Ｘ方向の回転を制限するとともに、図９、図１３に見られるように、調理器具３００の開口部３００ａの面の中心を通る垂線に平行かつ開口部３００ａのフランジ３００ｂを通る軸Ｙ方向の回転を制限する結果、内側面支持部２が内側面３００ｄから外れることがない。また図６に見られるように、開口部３００ｂが水平位置ロに来るまでの動揺が加わらない限り、調理器具３００の落下は防止される。
【００４８】
図４、図１２に見られるように、左右１対のフランジ支持部１の間隔ｗ１に対して、左右１対の内側面支持部２の間隔ｗ２が２倍以上である。すなわち調理器具３００の内側を支持する２つの内側面支持部２の間隔ｗ２を、調理器具３００の垂直軸方向の回転を押さえることができるほど充分に広く取った場合、フランジ支持部１は調理器具３００の外側の縁を内側面支持部２の幅の半分以下の間隔ｗ１で支持することになる。
【００４９】
調理器具３００を垂直から、６０°程度の角度まで引き起こした状態を考えた場合、図２０に見られるように、上から見ると調理器具３００の縁は弧ハとなって現れる。
【００５０】
この状態で調理器具３００の開口部３００ａの面と垂直、かつ片方のフランジ支持部１が調理器具３００を支持する点を通る軸Ｖ方向の回転が調理器具３００に加わると、図２０に見られるように、上から見た場合の調理器具３００の縁は弧ホとなる。
【００５１】
図２０に見られるように、調理器具３００の開口部３００ａの面と垂直、かつ片方のフランジ支持部１が調理器具３００を支持する点を通る軸Ｖ方向の回転によって、片方のフランジ支持部１が支持を行う位置におけるフランジ３００ｂに対する掛かりが浅くなっていっても、２つのフランジ支持部の幅が、２つの内側面支持部２の幅の半分以下の幅で形成されている為、片方のフランジ支持部１が支持を行う位置におけるフランジ３００ｂに対する掛かりは充分に深いままで、片方のフランジ支持部１が外れることはない。
【００５２】
図９に見られるように調理器具３００の開口部３００ａの面が垂直になるように保持する場合、調理器具の重心Ｇの水平位置が、調理器具３００の支点となる調理器具３００の内部を上向きに支える内側面支持部２の、ほぼ真下となるため、内側面支持部２に働く力のほとんどが垂直下向きの力である。そのため、調理器具３００を安定して吊下げることができるとともに、斜めに保持する場合と比べて、内側面支持部２に掛かるモーメントが減少するため、内側面支持部２の変形、破損を低減することができる。
【００５３】
また、特許文献１および特許文献２における斜めの保持に対して、調理器具３００が垂直に保持された場合、図１３に見られるように収納に必要となる底面積が最小となる
【００５４】
特許文献１および特許文献２における、笊の鉤止部、上部支持足および下部支持足の３つ、または鉤止部、支持足および下部に鉤止した笊の３つによる支持による吊下げに対して、フランジ支持部１と、内側面支持部２の２つの支持による吊下げが可能となり、より少ない要素で吊下げを行うことができる。
【符号の説明】
【００５５】
１  フランジ支持部
２  内側面支持部
１２  支持足
１３  鉤止部
１４  笊
１００  フック
２００  横棒
３００  調理器具
３００ａ  開口部
３００ｂ  フランジ
３００ｃ  外側面
３００ｄ  内側面
α  対称面
イ  水平位置
ロ  垂直位置
Ｘ  軸
Ｙ  軸
Ｖ  軸
ｗ１  フランジ支持部１の間隔
ｗ２  内側面支持部２の間隔
Ａ−Ａ  切断線
ハ  通常時の器具の縁の弧
ニ  動揺時の器具の縁の弧
Ｇ  調理器具３００の重心
【図１】
2014039575.tif 000003
【図２】
2014039575.tif 000004
【図３】
2014039575.tif 000005
【図４】
2014039575.tif 000006
【図５】
2014039575.tif 000007
【図６】
2014039575.tif 000008
【図７】
2014039575.tif 000009
【図８】
2014039575.tif 000010
【図９】
2014039575.tif 000011
【図１０】
2014039575.tif 000012
【図１１】
2014039575.tif 000013
【図１２】
2014039575.tif 000014
【図１３】
2014039575.tif 000015
【図１４】
2014039575.tif 000016
【図１５】
2014039575.tif 000017
【図１６】
2014039575.tif 000018
【図１７】
2014039575.tif 000019
【図１８】
2014039575.tif 000020
【図１９】
2014039575.tif 000021
【図２０】
2014039575.tif 000022